(57)【要約】【課題】シューズ用のソール構造において、特に接地の状況に応じてクッション性を段階的に変化させることができるようにする。【解決手段】支持体５を、変形空間６５，６５が開いているときに変形空間６５，６５により膨出部６３，６３が変形空間６５，６５に向かって変形することを許容する一方、変形空間６５，６５が閉じているときに膨出部６３，６３が上方に向かって変形しかつ緩衝部材５５が圧縮変形するように構成する。【選択図】図２
2019162357.tif 000002
【特許請求の範囲】
【請求項１】
ソール本体を備えるシューズ用のソール構造であって、
前記ソール本体に支持体が設けられており、
前記支持体は、
着用者の足を支持する上側プレートと、
前記上側プレートよりも下方の位置に配置された下側プレートと、
前記上側プレートと前記下側プレートとの間に配置されかつ該上側プレートおよび該下側プレートよりもヤング率が低い弾性変形可能な緩衝部材と、を有し、
前記下側プレートは、底部が下方に向かって突出するように形成された弾性変形可能な膨出部を含み、
前記緩衝部材には、前記膨出部よりも上方の位置に配置されかつ前記ソール本体の厚さ方向に直交する方向に沿って貫通形成された中空状または切り欠き状の変形空間が設けられており、
前記支持体は、前記変形空間が開いているときに該変形空間により前記膨出部が該変形空間に向かって弾性変形することを許容する一方、該変形空間が閉じているときに該膨出部が上方に向かって弾性変形しかつ前記緩衝部材が圧縮変形するように構成されている、ソール構造。
【請求項２】
請求項１に記載のソール構造において、
前記支持体は、着用者の踵部を支持する踵部領域に配置され、
前記緩衝部材は、前記踵部領域の外周縁に配置されている、ソール構造。
【請求項３】
請求項１または２に記載のソール構造において、
前記上側プレートは、足幅方向両端部に形成されかつ上方に向かって延びる巻き上げ部を有する、ソール構造。
【請求項４】
請求項１〜３のいずれか１項に記載のソール構造において、
前記膨出部は、複数形成され、
前記下側プレートは、複数の前記膨出部により波形に形成されている、ソール構造。
【請求項５】
請求項１〜４のいずれか１項に記載のソール構造を備えた、シューズ。
【発明の詳細な説明】
【技術分野】
【０００１】
本発明は、ソール構造およびシューズに関するものである。
【背景技術】
【０００２】
従来から例えば特許文献１のようなシューズのソール構造が知られている。
【０００３】
特許文献１には、着用者の足の後足部に対応する位置においてアウトソールおよびミッドソールの間に配置された変形要素を備えたシューズ用のソール構造が開示されている。変形要素は、足幅方向に沿って貫通形成された内部空間を含むチューブ状部と、該内部空間の前後方向略中央の位置に配置された緩衝部材とを有している。チューブ状部は、ヤング率が緩衝部材のヤング率よりも大きくなるように構成されている。
【先行技術文献】
【特許文献】
【０００４】
【特許文献１】特許第４４５２７２０号公報
【発明の概要】
【発明が解決しようとする課題】
【０００５】
ところで、例えばシューズを着用した着用者が走行中または歩行中に路面に接地した時（以下、接地時という）には、着用者の足に対し路面から大きな衝撃（外力）が作用しやすくなる。そして、このような大きな衝撃を和らげる程度の優れたクッション性がシューズ用ソール構造に求められている。
【０００６】
特許文献１のソール構造において、緩衝部材は、上下端部の各々がチューブ状部の上部および下部のそれぞれと接触した状態で固着されている。このため、ソール構造に外力が作用すると、チューブ状部の弾性変形および緩衝部材の圧縮変形が同時に起こるようになる。これにより、特許文献１のソール構造では、ヤング率が相対的に高いチューブ状部を弾性変形させること、および、ヤング率が相対的に低い緩衝部材を圧縮変形させることでクッション性が発揮されるようになると考えられる。
【０００７】
しかしながら、特許文献１のソール構造では、ソール構造に作用する外力の大小に関わらず常にチューブ状部および緩衝部材が同時に変形することから、変形要素が変形し難くなっていた。このため、特に接地時の衝撃を和らげることができないおそれがあった。
【０００８】
本発明はかかる点に鑑みてなされたものであり、その目的は、特に接地の状況に応じてクッション性を段階的に変化させることができるようにすることにある。
【課題を解決するための手段】
【０００９】
具体的には、本発明の第１の形態は、ソール本体を備えるシューズ用のソール構造に係るものであり、ソール本体に支持体が設けられている。支持体は、着用者の足を支持する上側プレートと、上側プレートよりも下方の位置に配置された下側プレートと、上側プレートと下側プレートとの間に配置されかつ上側プレートおよび下側プレートよりもヤング率が低い緩衝部材と、を有している。下側プレートは、底部が下方に向かって突出するように形成された弾性変形可能な膨出部を含み、緩衝部材には、膨出部よりも上方の位置に配置されかつソール本体の厚さ方向に直交する方向に沿って貫通形成された中空状または切り欠き状の変形空間が設けられている。支持体は、変形空間が開いているときに変形空間により膨出部が変形空間に向かって弾性変形することを許容する一方、変形空間が閉じているときに膨出部が上方に向かって弾性変形しかつ緩衝部材が圧縮変形するように構成されていることを特徴とする。
【００１０】
第１の形態において、支持体は、変形空間が開いているときに膨出部が変形空間に向かって変形することを許容するように構成されている。これにより、例えば接地時およびその直後では、変形空間が開いた状態となり、緩衝部材の圧縮変形が抑えられて下側プレートの膨出部が変形空間に向かって弾性変形するようになる。すなわち、接地時およびその直後では、下側プレートの膨出部が弾性変形することで優れたクッション性が発揮される。これに対し、接地後も継続してソール構造に大きな外力が作用しているときには、下側プレートの膨出部の弾性変形により変形空間が閉じるように変位する。そして、変形空間が閉じた状態でソール構造に対し継続的に大きな外力が作用すると、下側プレートの膨出部が上方に向かって弾性変形しかつ緩衝部材が圧縮変形する。その結果、膨出部の弾性変形および緩衝部材の圧縮変形によりクッション性が発揮されるようになる。このように、接地時およびその後の時間経過に伴いソール構造に作用する外力の大きさに応じてソール構造のクッション性が段階的に変化する。したがって、第１の形態では、特に接地の状況に応じてクッション性を段階的に変化させることができる。
【００１１】
第２の形態は、第１の形態において、支持体は、着用者の踵部を支持する踵部領域に配置され、緩衝部材は、踵部領域の外周縁に配置されていることを特徴とする。
【００１２】
この第２の形態では、踵部領域の外周縁が接地時に作用する外力が大きい領域である。このため、接地時に作用する外力が大きい領域に緩衝部材を配置することができる。
【００１３】
第３の形態は、第１または第２の形態において、上側プレートは、足幅方向両端部に形成されかつ上方に向かって延びる巻き上げ部を有することを特徴とする。
【００１４】
この第３の形態では、着用者の足が足幅方向に移動することを抑制することができる。このため、着用者が感じるホールド感を高めることができる。
【００１５】
第４の形態は、第１〜第３の形態のいずれか１つの形態において、膨出部は、複数形成され、下側プレートは、複数の膨出部により波形に形成されていることを特徴とする。
【００１６】
この第４の形態では、膨出部が複数形成されている。このため、ソール構造のクッション性をさらに向上させることができる。
【００１７】
第５の形態は、第１〜第４の形態いずれか１つのソール構造を備えるシューズである。
【００１８】
この第５の形態では、特に接地の状況に応じてクッション性を段階的に変化させることができる。
【発明の効果】
【００１９】
以上説明したように、本発明によると、特に接地の状況に応じてクッション性を段階的に変化させることができる。
【図面の簡単な説明】
【００２０】
【図１】図１は、本発明の第１実施形態に係るソール構造の分解斜視図である。
【図２】図２は、ソール構造を内甲側から見て示す側面図である。
【図３】図３は、図２のIII-III線断面図である。
【図４】図４は、接地前の変形空間を概略的に示す断面図である。
【図５】図５は、接地の直後の状態を示す図４相当図である。
【図６】図６は、緩衝部材が変形する状態を示す図４相当図である。
【図７】図７は、本発明の第１実施形態の変形例１に係るソール構造を示す図２相当図である。
【図８】図８は、本発明の第１実施形態の変形例２に係るソール構造を示す図２相当図である。
【図９】図９は、本発明の第１実施形態の変形例３に係るソール構造を示す図２相当図である。
【図１０】図１０は、本発明の第２実施形態に係るソール構造を示す図２相当図である。
【図１１】図１１は、図１０のXI-XI線断面図である。
【図１２】図１２は、本発明の第３実施形態に係るソール構造を示す図２相当図である。
【発明を実施するための形態】
【００２１】
以下、本発明の各実施形態を図面に基づいて詳細に説明する。以下の各実施形態の説明は、本質的に例示に過ぎず、本発明、その適用物或いはその用途を制限することを意図するものではない。
【００２２】
［第１実施形態］
図１〜図３は、第１実施形態に係るソール構造１の全体を示す。ソール構造１は、着用者の足裏面を支持するためのものである。このソール構造１にアッパー（図示せず）などが設けられたシューズは、例えばランニングシューズやウォーキングシューズ、インドア競技用シューズ、または土や芝生の上で行われる球技用シューズなどに適用可能なシューズとして使用される。
【００２３】
ここで、ソール構造１は、左足用シューズのソール構造１のみを例示している。右足用シューズのソール構造は、左足用シューズのものと左右対称になるように構成されているので、以下の説明では左足用シューズのソール構造１のみについて説明し、右足用シューズのソール構造の説明は省略する。
【００２４】
また、以下の説明において、上方（上側）および下方（下側）とはソール構造１の上下方向の位置関係を表し、前方（前側）および後方（後側）とはソール構造１の前後方向の位置関係を表すものとする。
【００２５】
図１〜図３に示すように、ソール構造１は、ソール本体３と、支持体５とを備えている。
【００２６】
（ソール本体）
ソール本体３は、前足部から後足部までの足裏面全体が載せられて足を支持するミッドソール３１と、ミッドソール３１の下側に積層配置されたアウトソール３３，３３…とを有している。
【００２７】
ミッドソール３１は、軟質の弾性材からなり、例えばエチレン−酢酸ビニル共重合体（ＥＶＡ）等の熱可塑性合成樹脂やその発泡体、ポリウレタン（ＰＵ）等の熱硬化性樹脂やその発泡体、ブタジエンラバーやクロロプレンラバー等のラバー素材やその発泡体などが適している。
【００２８】
ミッドソール３１の上部には、足裏面を支持する足裏支持面が前後方向に延びるように形成されている。ミッドソール３１の周縁部には、着用者の足を覆うアッパー（図示せず）が設けられている。
【００２９】
アウトソール３３，３３…は、着用者の前足部から後足部に亘る範囲に設けられている。アウトソール３３，３３…は、支持体５が配置されたソール構造１の後部において、後述する下側プレート５３の下面に設けられている。一方、アウトソール３３，３３…は、支持体５が配置されていないソール構造１の前部において、ミッドソール３１の下面に設けられている。
【００３０】
アウトソール３３，３３…は、ミッドソール３１よりも高硬度の硬質弾性部材で構成されており、例えばエチレン−酢酸ビニル共重合体（ＥＶＡ）等の熱可塑性樹脂、ポリウレタン（ＰＵ）等の熱硬化性樹脂、またはブタジエンラバーやクロロプレンラバー等のラバー素材が適している。
【００３１】
アウトソール３３，３３…の下面は、着用者が走行中または歩行中にソール構造１が路面に接地するとき（接地時）の主な接地面となるように構成されている。
【００３２】
（支持体）
支持体５は、ソール本体３のミッドソール３１とアウトソール３３，３３…との間に設けられている。支持体５は、着用者の踵部を支持する踵部領域１３を含むソール構造１の後部に配置されている。支持体５は、接地時に変形することでソール構造１にクッション性を付与している。支持体５は、上から順に上側プレート５１、下側プレート５３および緩衝部材５５を有している。
【００３３】
（上側プレート）
上側プレート５１は、ミッドソール３１の下面に設けられて、着用者の足を支持している。上側プレート５１は、弾性変形可能であり緩衝部材５５よりも硬質かつ薄肉のプレートから構成されている。上側プレート５１は、ヤング率が例えば５ＭＰａ以上、１０００ＭＰａ以下であることが好ましい。上側プレート５１は、例えば、熱可塑性ポリウレタン（ＴＰＵ）やポリアミドエラストマー（ＰＡＥ）、ＡＢＳ樹脂などの熱可塑性樹脂、またはエポキシ樹脂や不飽和ポリエステル樹脂などの熱硬化性樹脂から構成されている。また、上側プレート５１は、カーボン繊維や金属繊維などを混入した繊維強化樹脂から構成されていてもよい。
【００３４】
図３に示すように、上側プレート５１は、断面視でＵ字状に形成されている。具体的には、上側プレート５１は、平板状の本体部５７と、本体部５７の足幅方向両端部からに上方に向かって延びる巻き上げ部５９，５９とを有している。
【００３５】
（下側プレート）
下側プレート５３は、緩衝部材５５の下方かつアウトソール３３，３３…の上方に設けられている。下側プレート５３は、弾性変形可能であり緩衝部材５５よりも硬質かつ薄肉のプレートから構成されている。下側プレート５３は、ヤング率が例えば５ＭＰａ以上、１０００ＭＰａ以下であることが好ましい。下側プレート５３は、例えば、熱可塑性ポリウレタン（ＴＰＵ）やポリアミドエラストマー（ＰＡＥ）、ＡＢＳ樹脂などの熱可塑性樹脂、またはエポキシ樹脂や不飽和ポリエステル樹脂などの熱硬化性樹脂から構成されている。また、下側プレート５３は、カーボン繊維や金属繊維などを混入した繊維強化樹脂から構成されていてもよい。
【００３６】
下側プレート５３は、支持体５の下面を構成するように前後方向に延びている。下側プレート５３は、足幅方向中間部に複数の肉抜き部６１，６１…を有している。下側プレート５３は、底部が下方に向かって突出するように形成された膨出部６３，６３を前後方向に２つ有している。下側プレート５３は、膨出部６３，６３により、凹凸が前後方向に繰り返された波形に形成されている。膨出部６３，６３は、下方に突出しているので、接地時に路面などからの外力を受けやすくなっている。
【００３７】
（緩衝部材）
緩衝部材５５は、上側プレート５１と下側プレート５３との間に配置されている。緩衝部材５５は、踵部領域１３の外周縁に配置されている。緩衝部材５５は、弾性変形可能であり、上側プレート５１および下側プレート５３よりもヤング率が低く変形し易い。具体的には、緩衝部材５５は、ヤング率が例えば０．１ＭＰａ以上、３ＭＰａ以下であることが好ましい。緩衝部材５５は、例えば、低反発性の弾性材からなり、例えばエチレン−酢酸ビニル共重合体（ＥＶＡ）等の熱可塑性合成樹脂の発泡体、ポリウレタン（ＰＵ）等の熱硬化性樹脂の発泡体、ブタジエンラバーやクロロプレンラバー等のラバー素材の発泡体から構成されている。
【００３８】
緩衝部材５５は、膨出部６３，６３よりも上方の位置に配置されかつ足幅方向に沿って貫通形成された切り欠き状の変形空間６５，６５を有している。具体的には、変形空間６５，６５は、緩衝部材５５の上面から下方に向かって凹陥形成されていて、足幅方向に延びている。変形空間６５，６５は、緩衝部材５５の上面のうち膨出部６３，６３に対応する下壁部６７ａ，６７ａと上側プレート５１との間に位置している。緩衝部材５５の上面のうち変形空間６５，６５が形成されていない部分は、上側プレート５１と接着されている。一方、緩衝部材５５の下面は、下側プレート５３と接着されている。
【００３９】
（支持体の動き）
図４〜図６は、支持体５に外力Ｆが作用する前後の支持体５の動きを示す。接地時には路面などから受ける反発力などの外力Ｆがアウトソール３３，３３…を介して下側プレート５３に作用する。このとき、膨出部６３，６３は上方に向かって変形する。また、緩衝部材５５は、下側プレート５３と接しているので、膨出部６３，６３の変形にともなって下壁部６７ａ，６７ａが上方に変形する。
【００４０】
接地の直後では、支持体５は、変形空間６５，６５が開いている状態である。すなわち、緩衝部材５５の下壁部６７ａ，６７ａの上部には変形空間６５，６５が位置している。このため、図５に示すように、緩衝部材５５は、下壁部６７ａ，６７ａが上側プレート５１に近付いて変形空間６５，６５を閉じるように、変形空間６５，６５内で変形する。このように、変形空間６５，６５が開いているときには、膨出部６３，６３は、変形空間６５，６５に向かって変形することが許容される。支持体５に作用する外力Ｆが所定値未満のときは、その後、支持体５に作用する外力Ｆが小さくなるにともなって、膨出部６３，６３が弾性復元する。
【００４１】
一方、支持体５に作用する外力Ｆが所定値以上のときは、下壁部６７ａ，６７ａの少なくとも一部と上側プレート５１とが当接することで変形空間６５，６５が閉じられて、さらに、膨出部６３，６３は上方に向かって変形する。図６に示すように、このとき、緩衝部材５５は、上側プレート５１と膨出部６３，６３とに挟まれて圧縮変形する。このように、変形空間６５，６５が閉じているときには、膨出部６３，６３が上方に向かって変形しかつ緩衝部材５５が圧縮変形する。そして、支持体５に作用する外力Ｆが小さくなるにともなって、膨出部６３，６３が弾性復元する。
【００４２】
（第１実施形態の作用効果）
以上のように、支持体５は、変形空間６５，６５が開いているときに膨出部６３，６３が変形空間６５，６５に向かって変形することを許容するように構成されている。これにより、例えば接地時およびその直後では、変形空間６５，６５が開いた状態となり、緩衝部材５５が圧縮変形せずに下側プレート５３の膨出部６３，６３が変形空間６５，６５に向かって弾性変形するようになる。すなわち、接地時およびその直後では、下側プレート５３の膨出部６３，６３が弾性変形することで優れたクッション性が発揮される。これに対し、接地後も継続してソール構造１に大きな外力Ｆが作用しているときには、下側プレート５３の膨出部６３，６３の弾性変形により変形空間６５，６５が閉じるように変位する。そして、変形空間６５，６５が閉じた状態でソール構造１に対し継続的に大きな外力Ｆが作用すると、下側プレート５３の膨出部６３，６３が上方に向かって弾性変形しかつ緩衝部材５５が圧縮変形する。その結果、膨出部６３，６３の弾性変形および緩衝部材５５の圧縮変形によるクッション性が発揮されるようになる。このとき、膨出部６３，６３の弾性変形量は、緩衝部材５５の圧縮変形により抑えられる。しかし、ソール構造は、上記外力Ｆのエネルギーが緩衝部材５５に吸収および蓄積されてクッション性が発揮されるようになる。このように、接地時およびその後の時間経過に伴いソール構造１に作用する外力Ｆの大きさに応じてソール構造１のクッション性が段階的に変化する。したがって、第１の形態では、特に接地の状況に応じてクッション性を段階的に変化させることができる。
【００４３】
さらに、変形空間６５，６５は、貫通形成されているので、下壁部６７ａ，６７ａが変形しやすくなる。このため、膨出部６３，６３および下壁部６７ａ，６７ａが弾性変形し易くなり接地の直後のクッション性をさらに向上させることができる。
【００４４】
また、支持体５は、着用者の踵部を支持する踵部領域１３に配置され、緩衝部材５５は、踵部領域１３の外周縁に配置されている。ソール構造１のうち踵部領域１３の外周縁が接地時に作用する外力Ｆが大きい領域である。このため、接地時に作用する外力Ｆが大きい領域に緩衝部材５５を配置することができる。
【００４５】
また、上側プレート５１は、足幅方向両端部に形成されかつ上方に向かって延びる巻き上げ部５９を有している。このため、着用者の足が足幅方向に移動することを抑制することができる。したがって、着用者が感じるホールド感を高めることができる。
【００４６】
さらに、膨出部６３，６３は、複数形成され、下側プレート５３は、複数の膨出部６３，６３により波形に形成されている。このため、ソール構造１のクッション性をさらに向上させることができる。
【００４７】
（第１実施形態の変形例１）
図７に示すように、上記第１実施形態に係るソール構造１の変形例１として、変形空間６５，６５は、緩衝部材５５の下面から上方に向かって凹陥形成されていて、足幅方向に延びている形態としてもよい。
【００４８】
具体的に、変形空間６５，６５は、緩衝部材５５の下面のうち膨出部６３，６３に対応する上壁部６８ａ，６８ａと下側プレート５３との間に位置している。緩衝部材５５の下面のうち変形空間６５，６５が形成されていない部分は、下側プレート５３と接着されている。一方、緩衝部材５５の上面は、上側プレート５１と接着されている。
【００４９】
本変形例において、接地の直後では、緩衝部材５５は、膨出部６３，６３が上壁部６８ａ，６８ａに近付いて変形空間６５，６５を閉じるように、変形空間６５，６５内で変形する。このように、変形空間６５，６５が開いているときには、膨出部６３，６３は、変形空間６５，６５により上方に向かって変形することを許容される。
【００５０】
一方、支持体５に作用する外力Ｆが所定値以上のときは、膨出部６３，６３の少なくとも一部と緩衝部材５５の上壁部６８ａ，６８ａとが当接することで変形空間６５，６５が閉じられて、さらに、膨出部６３，６３は上方に向かって変形する。このとき、緩衝部材５５は、上側プレート５１と膨出部６３，６３とに挟まれて圧縮変形する。このように、変形空間６５，６５が閉じているときには、膨出部６３，６３が上方に向かって変形しかつ緩衝部材５５が圧縮変形する。
【００５１】
（第１実施形態の変形例２）
図８に示すように、上記第１実施形態に係るソール構造１の変形例２として、変形空間６５，６５を、緩衝部材５５を貫通するように中空状に形成されている形態としてもよい。
【００５２】
具体的に、変形空間６５，６５は、緩衝部材５５のうち膨出部６３，６３に対応する位置に形成されている。変形空間６５，６５は、緩衝部材５５の内周面のうち下側の部分を構成する下壁部６７ｂ，６７ｂと、緩衝部材５５の内周面のうち上側の部分を構成する上壁部６８ｂ，６８ｂとの間に位置している。緩衝部材５５の下面は、下側プレート５３と接着されている。また、緩衝部材５５の上面は、上側プレート５１と接着されている。
【００５３】
本変形例において、接地の直後では、緩衝部材５５は、膨出部６３，６３の上方への弾性変形により、下壁部６７ｂ，６７ｂが上壁部６８ｂ，６８ｂに近付いて変形空間６５，６５を閉じるように、変形空間６５，６５内で変形する。このように、変形空間６５，６５が開いているときには、膨出部６３，６３は、変形空間６５，６５により上方に向かって変形することを許容される。
【００５４】
一方、支持体５に作用する外力Ｆが所定値以上のときは、下壁部６７ｂ，６７ｂの少なくとも一部と上壁部６８ｂ，６８ｂが当接することで変形空間６５，６５が閉じられて、さらに、膨出部６３，６３は上方に向かって変形する。このとき、緩衝部材５５は、上側プレート５１と膨出部６３，６３とに挟まれて圧縮変形する。このように、変形空間６５，６５が閉じているときには、膨出部６３，６３が上方に向かって変形しかつ緩衝部材５５が圧縮変形する。
【００５５】
（第１実施形態の変形例３）
図９に示すように、上記第１実施形態に係るソール構造１の変形例３として、緩衝部材５５，５５…が前後方向に分断して複数設けられている形態としてもよい。
【００５６】
［第２実施形態］
図１０および図１１は、本発明の第２実施形態に係るソール構造１を示す。この実施形態では、第１実施形態と比較して、支持体５の構造が一部異なっている。なお、この実施形態に係るソール構造１の他の構成は、第１実施形態に係るソール構造１の構成と同様である。このため、以下の説明では、図１〜図６と同じ部分について同じ符号を付し、その詳細な説明を省略する。
【００５７】
本実施形態の下側プレート５３は、足幅方向両端部に、前後方向に延びかつ底部が下方に向かって突出する膨出部６３，６３を有している。緩衝部材５５の変形空間６５，６５は、緩衝部材５５の上面から下方に向かって凹陥形成されていて、前後方向に延びている。
【００５８】
このように、第２実施形態のソール構造１では、膨出部６３，６３および変形空間６５，６５が前後方向に延びている。このため、足幅方向への接地の際に支持体５が変形し易くなる。したがって、第２実施形態のソール構造１は、足幅方向への動きが多いインドア競技用シューズのソール構造に適している。
【００５９】
［第３実施形態］
図１２は、本発明の第３実施形態に係るソール構造１を示す。この実施形態では、第１実施形態と比較して、支持体５の構造が一部異なっている。
【００６０】
第３の実施形態に係るソール構造１は、例えばサッカー、ラグビー、アメリカンフットボール、野球などのスポーツに用いられるクリーツシューズに適したものである。
【００６１】
第３の実施形態では、ソール本体３が支持体５の一部を兼ねるように構成されている。具体的には、上側プレート５１は、ミッドソール３１を形成している。また、下側プレート５３は、アウトソール３３，３３…を形成している。下側プレート５３の下面には、複数のスタッド７１，７１…が設けられている。このようにして、ソール本体３に支持体５が設けられている。また、第３の実施形態では膨出部６３は、１つ設けられている。
【００６２】
以上、本発明についての実施形態を説明したが、本発明は上述の実施形態のみに限定されず、発明の範囲内で種々の変更が可能である。
【産業上の利用可能性】
【００６３】
本発明は、例えばウォーキングシューズやランニングシューズ、インドア競技用シューズ、または土や芝生の上で行われる球技用シューズなどに適用されるシューズとして産業上の利用が可能である。
【符号の説明】
【００６４】
１  ソール構造
３  ソール本体
５  支持体
１３  踵部領域
５１  上側プレート
５３  下側プレート
５５  緩衝部材
５９  巻き上げ部
６３  膨出部
６５  変形空間
【図１】
2019162357.tif 000003
【図２】
2019162357.tif 000004
【図３】
2019162357.tif 000005
【図４】
2019162357.tif 000006
【図５】
2019162357.tif 000007
【図６】
2019162357.tif 000008
【図７】
2019162357.tif 000009
【図８】
2019162357.tif 000010
【図９】
2019162357.tif 000011
【図１０】
2019162357.tif 000012
【図１１】
2019162357.tif 000013
【図１２】
2019162357.tif 000014